(57)【要約】【課題】所要メモリ容量やダウンロード時間を少なくし、かつ低額で安定したマルチメディアサービスを供与する。【解決手段】番組のＴＶ放送信号が受信可能か否かを判断し（Ａ１０１）、ＴＶ放送信号受信可能であるならば、当該番組のＴＶ放送受信を開始する（Ａ１０２）。ＴＶ放送受信不良が発生したか否かを判断し（Ａ１０３）、受信不良が発生した場合には（Ａ１０３；ＹＥＳ）、ＬＡＮに接続可能であるか否かを判断し（Ａ１１０６）、接続可能であればＬＡＮに接続し（Ａ１１０）、サーバーに接続し（Ａ１１１）、ＴＶ放送受信を停止する（Ａ１１２）。引き続き、ユーザーＩＤ、パスワードを送信し（Ａ１１３）、番組データ（ＴＶ局、時間等）を送信する（Ａ１１４）。また、前述のＡ１０５で記憶させた中断時刻を開始位置データとして送信した後（Ａ１１５）、ダウンロード、再生を開始する（Ａ１１６）。【選択図】　　　図３
2004088517.tif 000002
【特許請求の範囲】
【請求項１】
放送電波を受信する第１の受信手段と、
ネットワークを介して送信される放送データを受信する第２の受信手段と、
前記第１の受信手段による前記放送電波の受信中に、受信不良を検出する検出手段と、
この検出手段により前記放送電波の受信不良が検出された場合、前記第２の受信手段による放送データの受信を開始させる制御手段と
を備えたことを特徴とする放送受信装置。
【請求項２】
前記検出手段により前記受信不良が検出された時点における放送内容の位置を示す位置データを取得する取得手段と、
この取得手段により取得された前記位置データを送信する送信手段と
を更に備えたことを特徴とする請求項１記載の放送受信装置。
【請求項３】
放送電波を受信する第１の受信手段と、
ネットワークを介して送信される放送データを受信する第２の受信手段と、
前記第１の受信手段による前記放送電波の受信中に、受信不良を検出する検出手段と、
この検出手段により前記受信不良が検出された時点における放送内容の位置を示す位置データを記憶する記憶手段と、
前記検出手段により前記放送電波の受信不良が検出された場合、前記記憶手段に記憶されている位置データが示す位置から、前記第２の受信手段による放送データの受信を開始させる制御手段と
を備えたことを特徴とする放送受信装置。
【請求項４】
前記記憶手段に記憶される前記位置データを送信する送信手段を更に備えたことを特徴とする請求項３記載の放送受信装置。
【請求項５】
前記位置データは、前記検出手段により前記受信不良が検出された時点における時刻データであることを特徴とする請求項２、３又は４記載の放送受信装置。
【請求項６】
放送電波を受信する第１の受信手段と、ネットワークを介して送信される放送データを受信する第２の受信手段とを有する放送受信装置における受信方法であって、
前記第１の受信手段による前記放送電波の受信中に、受信不良を検出する検出工程と、
この検出工程により前記放送電波の受信不良が検出された場合、前記第２の受信手段によるデータの受信を開始させる制御工程と
を含むことを特徴とする放送受信方法。
【請求項７】
放送電波を受信する第１の受信手段と、ネットワークを介して送信される放送データを受信する第２の受信手段とを有する放送受信装置における受信方法であって、
前記第１の受信手段による前記放送電波の受信中に、受信不良を検出する検出工程と、
この検出工程により前記受信不良が検出された時点における放送内容の位置を示す位置データを記憶させる記憶工程と、
前記検出工程により前記放送電波の受信不良が検出された場合、前記記憶工程で記憶された位置データが示す位置から、前記第２の受信手段による放送データの受信を開始させる制御工程と
を含むことを特徴とする放送受信方法。
【請求項８】
放送電波を受信する第１の受信手段と、ネットワークを介して送信される放送データを受信する第２の受信手段とを備える放送受信装置が有するコンピュータを、
前記第１の受信手段による前記放送電波の受信中に、受信不良を検出する検出手段と、
この検出手段により前記放送電波の受信不良が検出された場合、前記第２の受信手段による放送データの受信を開始させる制御手段と
して機能させることを特徴とする放送受信制御プログラム。
【請求項９】
放送電波を受信する第１の受信手段と、ネットワークを介して送信される放送データを受信する第２の受信手段とを備える放送受信装置が有するコンピュータを、
前記第１の受信手段による前記放送電波の受信中に、受信不良を検出する検出手段と、
この検出手段により前記受信不良が検出された時点における放送内容の位置を示す位置データを記憶させる記憶制御手段と、
前記検出手段により前記放送電波の受信不良が検出された場合、前記記憶制御手段に記憶された位置データが示す位置から、前記第２の受信手段による放送データの受信を開始させる制御手段と
して機能させることを特徴とする放送受信制御プログラム。
【請求項１０】
送信装置、受信装置及びこの受信装置にネットワークを介して接続されるサーバー装置で構成される放送システムであって、
前記送信装置は、
放送電波を送信する送信手段を備え、
前記受信装置は、
前記放送電波を受信する第１の受信手段と、
前記サーバー装置から前記ネットワークを介して送信される放送データを受信する第２の受信手段と、
前記第１の受信手段による前記放送電波の受信中に、受信不良を検出する検出手段と、
この検出手段により前記放送電波の受信不良が検出された場合、前記第２の受信手段による放送データの受信を開始させる制御手段と、
前記検出手段により前記受信不良が検出された時点における放送内容の位置を示す位置データを、前記ネットワークを介して前記サーバー装置に送信する送信手段とを備え、
前記サーバー装置は、
前記受信装置の前記送信手段から送信される位置データを受信する受信手段と、
この受信手段により受信された位置データが示す位置からの放送データを前記受信装置に送信する送信手段と
を備えたことを特徴とする放送システム。
【請求項１１】
放送電波を受信するとともにネットワークを介して送信される放送データを受信する放送受信装置に、前記ネットワークを介して接続されるサーバー装置であって、
前記放送受信装置が前記放送電波の受信不良を検出した際に送信する、当該時点における放送内容の位置を示す位置データを受信する受信手段と、
この受信手段により受信された位置データが示す位置からの放送データを前記受信装置に送信する送信手段と
を備えたことを特徴とするサーバー装置。
【発明の詳細な説明】
【０００１】
【発明の属する技術分野】
本発明は、放送受信装置、放送受信方法、放送受信プログラム、放送システム及びサーバー装置に関する。
【０００２】
【発明の背景】
今日においては、ＵＨＦやＶＨＦのＴＶ放送、あるいはＢＳやＣＳ衛星ＴＶ放送が普及するに至っており、地上波でもデジタルＴＶ放送が開始されることが期待されている。また、ＬＣＤ表示の携帯型ＴＶ受信機なども多数市販されている。
【０００３】
一方、マルチメディアＰＣなど、インターネット上のサーバーから短編映画やデジタル映像コンテンツをダウンロードして、音楽や映像データを再生出力できるプレイヤーソフトで観賞したり、ＡＤＳＬやＦＴＴＨなど定額でのインターネット接続サービスの普及により、家庭用のビデオサーバーとしてＰＣ等の利用も広まろうとしている。また、インターネットで提供される多様なマルチメディアコンテンツやＴＶ放送に準じた映像報道コンテンツの利用も増加している。具体的には、音楽番組やスポーツ、ニュースなどを地上波と同時に配信するほか、既に放映した番組を何時でも呼び出せる「ビデオ・オン・デマンド」も利用できるようにすることも予定されている。さらには、移動体通信の発展と、端末の小型化、データ圧縮技術の発展で、次世代携帯電話の３Ｇ携帯電話では、音楽、映像の配信やテレビ電話（ビデオ電話）などのマルチメディアサービスなども期待されている。
【０００４】
【発明が解決しようとする課題】
しかしながら、ＴＶ放送電波をアンテナやＴＶチューナで受信しながら再生観賞するＴＶセットでは、屋外でニュースやＴＶ番組を見たいと思ったときでも、当該ユーザーの移動した環境によっては受信電波が弱く、携帯型ＴＶ受信機では受信感度が低く、受信映像や音声が安定しないという問題が生ずる。
【０００５】
一方、前述のように次世代携帯電話の３Ｇ携帯電話では、音楽、映像の配信やテレビ電話（ビデオ電話）などのマルチメディアサービスなども期待されており、前記「ビデオ・オン・デマンド」のように、音楽番組やスポーツ、ニュースなどを地上波と同時に配信するほか、既に放映した番組を何時でも呼び出せることも予定されている。しかし、映像や画像のコンテンツは圧縮しても、所要メモリ容量が大きく、と特に携帯電話などの低速度の移動体通信回路では、ダウンロード時間が長く、かつ通信料金やパケット料が高額になるという問題が生ずる。
【０００６】
本発明は、このような従来の課題に鑑みてなされたものであり、所要メモリ容量やダウンロード時間を少なくし、かつ低額で安定したマルチメディアサービスを供与することのできる放送受信装置、放送受信方法、放送受信プログラム、放送システム及びサーバー装置を提供することを目的とするものである。
【０００７】
【課題を解決するための手段】
前記課題を解決するために請求項１記載の発明に係る放送受信装置にあっては、放送電波を受信する第１の受信手段と、ネットワークを介して送信される放送データを受信する第２の受信手段と、前記第１の受信手段による前記放送電波の受信中に、受信不良を検出する検出手段と、この検出手段により前記放送電波の受信不良が検出された場合、前記第２の受信手段による放送データの受信を開始させる制御手段とを備える。
【０００８】
したがって、受信不良が検出されない限り、第１の受信手段により放送電波を受信することによって、ユーザーはマルチメディアサービスを受けることができる。また、放送電波の受信不良が発生した際には、第２の受信手段によりネットワークを介して送信される放送データを受信することによって、ユーザーは安定してマルチメディアサービスを受けることができる。しかも、第２の受信手段により放送データを受信するのは、放送電波の受信不良が発生した場合のみであることから、所要メモリ容量やダウンロード時間を少なくなり、通信料金やパケット料も低額となる。
【０００９】
また、請求項２記載の発明に係る放送受信装置にあっては、前記検出手段により前記受信不良が検出された時点における放送内容の位置を示す位置データを取得する取得手段と、この取得手段により取得された前記位置データを送信する送信手段とを更に備える。したがって、放送データを送信するサーバーが、この送信手段により送信される位置データを受信して、位置データに対応する位置からの放送データを送信することが可能となる。
【００１０】
また、請求項３記載の発明に係る放送受信装置にあっては、放送電波を受信する第１の受信手段と、ネットワークを介して送信される放送データを受信する第２の受信手段と、前記第１の受信手段による前記放送電波の受信中に、受信不良を検出する検出手段と、この検出手段により前記受信不良が検出された時点における放送内容の位置を示す位置データを記憶する記憶手段と、前記検出手段により前記放送電波の受信不良が検出された場合、前記記憶手段に記憶されている位置データが示す位置から、前記第２の受信手段による放送データの受信を開始させる制御手段とを備えている。
【００１１】
したがって、受信不良が検出されない限り、第１の受信手段により放送電波を受信することによって、ユーザーはマルチメディアサービスを受けることができる。そして、放送電波の受信不良が発生した際には、時点における放送内容の位置を示す位置データを記憶し、この位置データが示す位置から第２の受信手段によりネットワークを介して送信される放送データを受信する。これにより、ユーザーは安定してマルチメディアサービスを受けることができる。しかも、第２の受信手段により受信する放送データは、位置データが示す放送電波の受信不良が発生した位置からのデータのみであることから、所要メモリ容量やダウンロード時間を少なくなり、通信料金やパケット料も低額となる。
【００１２】
また、請求項４記載の発明に係る放送受信装置にあっては、前記記憶手段に記憶される前記位置データを送信する送信手段を更に備える。したがって、放送データを送信するサーバーが、この送信手段により送信される位置データを受信して、位置データに対応する位置からの放送データを送信することが可能となる。
【００１３】
また、請求項５記載の発明に係る放送受信装置にあっては、前記位置データは、前記検出手段により前記受信不良が検出された時点における時刻データである。したがって、時刻データが示す時刻から受信不良により受信できなくなった放送データを、ネットワークを介して取得することができる。
【００１４】
また、請求項６記載の発明にあっては、放送電波を受信する第１の受信手段と、ネットワークを介して送信される放送データを受信する第２の受信手段とを有する放送受信装置における受信制御方法であって、前記第１の受信手段による前記放送電波の受信中に、受信不良を検出する検出工程と、この検出工程により前記放送電波の受信不良が検出された場合、前記第２の受信手段によるデータの受信を開始させる制御工程とを含む。したがって、記載した工程に従って処理を実行することにより、請求項１記載の発明と同様の作用効果を奏する。
【００１５】
また、請求項７記載の発明にあっては、放送電波を受信する第１の受信手段と、ネットワークを介して送信される放送データを受信する第２の受信手段とを有する放送受信装置における受信制御方法であって、前記第１の受信手段による前記放送電波の受信中に、受信不良を検出する検出工程と、この検出工程により前記受信不良が検出された時点における放送内容の位置を示す位置データを記憶させる記憶工程と、前記検出工程により前記放送電波の受信不良が検出された場合、前記記憶工程で記憶された位置データが示す位置から、前記第２の受信手段による放送データの受信を開始させる制御工程とを含む。したがって、記載した工程に従って処理を実行することにより、請求項３記載の発明と同様の作用効果を奏する。
【００１６】
また、請求項８記載の発明に係る放送受信制御プログラムにあっては、放送電波を受信する第１の受信手段と、ネットワークを介して送信される放送データを受信する第２の受信手段とを備える放送受信装置が有するコンピュータを、前記第１の受信手段による前記放送電波の受信中に、受信不良を検出する検出手段と、この検出手段により前記放送電波の受信不良が検出された場合、前記第２の受信手段による放送データの受信を開始させる制御手段として機能させる。したがって、前記コンピュータがこのプログラムに従って処理を実行することにより、請求項１記載の発明と同様の作用効果を奏する。
【００１７】
また、請求項９記載の発明に係る放送受信制御プログラムにあっては、放送電波を受信する第１の受信手段と、ネットワークを介して送信される放送データを受信する第２の受信手段とを備える放送受信装置が有するコンピュータを、前記第１の受信手段による前記放送電波の受信中に、受信不良を検出する検出手段と、この検出手段により前記受信不良が検出された時点における放送内容の位置を示す位置データを記憶させる記憶制御手段と、前記検出手段により前記放送電波の受信不良が検出された場合、前記記憶制御手段に記憶された位置データが示す位置から、前記第２の受信手段によるデータの受信を開始させる制御手段として機能させる。したがって、前記コンピュータがこのプログラムに従って処理を実行することにより、請求項３記載の発明と同様の作用効果を奏する。
【００１８】
また、請求項９記載の発明にあっては、送信装置、受信装置及びこの受信装置にネットワークを介して接続されるサーバー装置で構成される放送システムであって、前記送信装置は、放送電波を送信する送信手段を備え、前記受信装置は、前記放送電波を受信する第１の受信手段と、前記サーバー装置から前記ネットワークを介して送信される放送データを受信する第２の受信手段と、前記第１の受信手段による前記放送電波の受信中に、受信不良を検出する検出手段と、この検出手段により前記放送電波の受信不良が検出された場合、前記第２の受信手段による放送データの受信を開始させる制御手段と、前記検出手段により前記受信不良が検出された時点における放送内容の位置を示す位置データを、前記ネットワークを介して前記サーバー装置に送信する送信手段とを備え、前記サーバー装置は、前記受信装置の前記送信手段から送信される位置データを受信する受信手段と、この受信手段により受信された位置データが示す位置からの放送データを前記受信装置に送信する送信手段とを備える。
【００１９】
したがって、受信不良が検出されない限り、受信装置が第１の受信手段により放送電波を受信することによって、ユーザーはマルチメディアサービスを受けることができる。そして、放送電波の受信不良が発生した際には、時点における放送内容の位置を示す位置データが示す位置からの放送データがサーバー装置から送信されて、受信装置がこれを受信する。したがって、ユーザーは安定してマルチメディアサービスを受けることができる。しかも、受信装置が第２の受信手段により受信する放送データは、位置データが示す放送電波の受信不良が発生した位置からのデータのみであることから、所要メモリ容量やダウンロード時間を少なくなり、通信料金やパケット料も低額となる。
【００２０】
また、請求項１１記載の発明にあっては、放送電波を受信するとともにネットワークを介して送信される放送データを受信する放送受信装置に、前記ネットワークを介して接続されるサーバー装置であって、前記放送受信装置が前記放送電波の受信不良を検出した際に送信する、当該時点における放送内容の位置を示す位置データを受信する受信手段と、この受信手段により受信された位置データが示す位置からの放送データを前記受信装置に送信する送信手段とを備える。したがって、放送電波の受信不良が発生して放送受信装置が放送電波を受信できなくなった以降の放送データのみを送信することができる。
【００２１】
【発明の実施の形態】
以下、本発明の実施の形態を図に従って説明する。図１は、本発明の一実施の形態に係る通信端末の外観構成を示すものである。この通信端末１は、腕に装着可能な構成であり腕時計型であって、矩形の機器本体２と、この機器本体２の相対向する端部に係着された一対のリストバンド３、４とを備えている。機器本体２の表面部にはＬＣＤからなる画像表示装置５が配置され、内部には後述する回路を有するシステムモジュール６が配置されている。また、機器本体２とリストバンド３、４と亙って湾曲状のＴＶ放送受信用アンテナ７が埋設され、このアンテナ７はシステムモジュール６に接続されている。また、一方のリストバンド３には、カードスロット８が設けられ、他方のリストバンド４には、電池９が着脱自在に内蔵されているともに、表面部には複数のキー１０が配置されている。
【００２２】
前記システムモジュール６は、図２に示すように、各部を制御するマイクロコンピュータからなる主制御部１１を有している。そして、前記アンテナ７はＵＨＦ、ＶＨＳ、ＣＳ、ＢＳ、衛星ＴＶ等に対応のＴＶチューナ１２に接続され、電池９は電源を必要とする各部へ電源を供給する電源制御部１３に接続され、前記キー１０からの操作情報はキー入力部１４を介して主制御部１１に入力される。
【００２３】
アンテナ１５は、外部機器と無線ＬＡＮ及びＢＴ（Ｂｌｕｅｔｏｏｔｈ方式）で通信を行うためのものであり、無線リンク・ＲＦ／送受信部１６を介して無線リンク・ベースバンド部１７に接続されている。時計部１８は現在時刻を生成するものであり、この時計部１８により生成される現在時刻は、画像表示装置５の一部に表示される。ＲＡＭ１９には通信設定データ等の各種データが格納されるとともに、主制御部１１のワークエリアとしても使用される。メモリカード２０は前記カードスロット８に着脱自在に配置され、主制御部１１によりカードＩ／Ｆ２１を介してデータの読み出し及び書き込みがなされる。
【００２４】
フラッシュＲＯＭ２２には、インターネットアプリケーション、ＴＶ受信／動画ビュアー、ＩＰ電話／ＩＰテレビ電話アプリケーション、無線リンク／無線ＬＡＮソフト、ＰＣリンクソフト、通信プロトコル・ソフト等の各種プログラムが格納されている。主制御部１１はこのフラッシュＲＯＭ２２に格納されているプログラムに基づき、後述するフローチャートに示す処理を実行する。
【００２５】
画像／音声データ復号器３６は、システム多重分離部２３を備え、このシステム多重分離部２３は、主制御部１１を介して入力され画像／音声データを音声符号、同期／制御情報及びビデオ符号に分離する。音声符号は、オーディオ復号器２４により複合され、Ｄ／Ａコンバータ３１を介してアンプ３２に送られ、このアンプ３２で増幅されてスピーカにより再生される。前記同期／制御情報は、復号制御／同期制御部２５に入力される。復号制御／同期制御部２５は、同期／制御情報に基づきオーディオ復号器２４とビデオ復号器２６との同期を制御する。前記ビデオ符号は、ビデオ復号器２６に入力される。ビデオ復号器２６は、バッファ２７、ビデオ多重分離部２８、情報源復号化部２９、及び後処理部３０を備える。このビデオ復号器２６により復号化されたビデオ符号は、画像メモリ３４に記憶され、あるいは表示駆動回路３５に入力され、この表示駆動回路３５により駆動される前記画像表示装置５により画像として再生される。
【００２６】
また、画像入力端子３７より入力される画像信号は、入力Ｉ／Ｆ３８及び画像メモリ３９を介して、画像／音声データ符号器４７のビデオ符号器４０に送られる。ビデオ符号器４０は、前処理部４１、情報源符号化部４２、ビデオ多重化部４３、バッファ４４を備え、このビデオ符号器４０により生成されたビデ符号はシステム多重化部４５に与えられる。また、音声入力端子４６から入力された音声信号は、アンプ４７で増幅されてＡ／Ｄコンバータ４８によりデジタル信号に変換される。このデジタル信号は、画像／音声データ符号器４７のオーディオ符号器５０により音声符号とされてシステム多重化部４５に与えられる。画像／音声データ符号器４７の符号化制御／同期制御部４９は、前記ビデオ符号と音声符号の同期制御情報を生成してシステム多重化部４５に与える。システム制御部は、これらビデオ符号、音声符号及び同期制御情報を多重化して主制御部１１に送出する。
【００２７】
他方、データベース６１には、動画像等の映像音楽コンテンツ（番組）が格納されており、これらコンテンツはＴＶ放送局６２からＴＶ塔６３を介してＴＶ放送電波に重畳されて送信される。また、ＬＡＮを構成するＩＰ網６４には、サーバー６５、公衆電話網６６、ルーター６７、６８が接続されている。サーバー６５は、前記データベース６１に格納されているコンテンツ（番組）と同一のコンテンツを地上波（ＴＶ放送電波）と同時に配信するほか、既に放映した番組を何時でも呼び出せる「ビデオ・オン・デマンド」機能を有するものである。一方のルーター６８には、ＨＵＢ６９を介して無線ＡＰ７０が接続され、他方のルーター６７には、ＨＵＢ７１を介して無線ＡＰ７２とＰＣ７３とが接続されている。
前記公衆電話網６６は、移動体網７４を介して無線基地局７５に接続されている。携帯電話端末７６は、無線基地局７５との無線ＬＡＮによる通信機能と、ＢＴにより通信端末１と通信し得る機能とを併有している。また、通信端末１は、前記アンテナ７を介したＴＶ放送電波の受信機能と、前記アンテナ１５を介した携帯電話端末７６及び無線ＡＰ７０との通信機能とを併有している。
【００２８】
以上の構成に係る本実施の形態において、ユーザーがキー１０を操作して受信したい番組を示す番組データ（ＴＶ局、時間等）を入力すると、この番組データがＲＡＭ１９に記憶される。そして、主制御部１１は、この記憶された番組データが示す番組の開始時刻になると、フラッシュＲＯＭ２２に格納されているプログラムに従って自動スタートし、図３のフローチャートに示すように処理を開始する。すなわち、ＴＶチューナ１２を制御して前記番組の受信を行い、当該番組のＴＶ放送信号が受信可能か否かを判断する（ステップＡ１０１）。
【００２９】
ＴＶ放送信号受信可能であるならば、当該番組のＴＶ放送受信を開始し（ステップＡ１０２）、これによりスピーカ３３からは番組の音声が発生し、画像表示装置５には番組の画像が表示される。このＴＶ放送受信中において、ＴＶ放送の受信状態を常時監視し、ＴＶ放送受信不良が発生したか否か（ステップＡ１０３）、及び番組が終了したか否か（ステップＡ１０３）を繰り返し判断する。そして、当該番組が終了した場合には（ステップＡ１０４；ＹＥＳ）、このフローチャートに従った処理を修了する。
【００３０】
また、番組が終了する前に、ＴＶ放送受信不良が発生した場合には（ステップＡ１０３；ＹＥＳ）、ＬＡＮに接続可能であるか否かを判断する（ステップＡ１１０６）。そして、携帯電話端末７６又は無線ＡＰ７０を介してＬＡＮに接続することが不可能である場合には（ステップＡ１０６；ＮＯ）、ＴＶ放送受信が復活したか否かを判断する（ステップＡ１０７）。ＴＶ放送受信が復活した場合には（ステップＡ１０７；ＹＥＳ）、ステップＡ１０３からの処理を再度実行する。ＴＶ放送受信が復活しない場合には（ステップＡ１０７；ＮＯ）、一定時間が経過したか否かを判断する（ステップＡ１０８）。そして、一定時間が経過するまでステップＡ１０８→Ａ１０６→Ａ１０７→Ａ１０８のループを繰り返し、一定時間が経過したならば（ステップＡ１０８；ＹＥＳ）、ＴＶ放送の受信を停止する（ステップＡ１０９）。
【００３１】
また、ステップＡ１０６での判断の結果、ＬＡＮに接続可能であれば、携帯電話端末７６又は無線ＡＰ７０を介してＬＡＮに接続する（ステップＡ１１０）。更に、サーバー６５に接続するとともに（ステップＡ１１１）、ＴＶ放送受信を停止する（ステップＡ１１２）。引き続き、ユーザーＩＤ、パスワードを送信し（ステップＡ１１３）、番組データ（ＴＶ局、時間等）を送信する（ステップＡ１１４）。また、前述のステップＡ１０５で記憶させた中断時刻を開始位置データとして送信した後（ステップＡ１１５）、前記番組の内容を成す放送データのダウンロード、再生を開始する（ステップＡ１１６）。
【００３２】
この番組の内容を成す放送データのダウンロード、再生中において通信状態を常時監視し、通信不良が発生したか否か（ステップＡ１１７）、及び番組が終了したか否か（ステップＡ１１８）を繰り返し判断する。そして、当該番組が終了した場合には（ステップＡ１１８；ＹＥＳ）、このフローチャートに従った処理を修了する。また、番組が終了する前に、通信不良が発生した場合には（ステップＡ１１７；ＹＥＳ）、画像表示装置５に通信不良表示を行い（ステップＡ１１９）、ダウンロードを停止するとともに停止信号をサーバー６５に送信する（ステップＡ１２０）。
【００３３】
一方、ステップＡ１０１での結果、ＴＶ放送信号受信が不可能である場合には、ＬＡＮに接続可能であるか否かを判断する（ステップＡ１２１）。ＬＡＮへの接続も不可能である場合には、ステップＡ１２１→Ａ１０１→Ａ１２１のループを繰り返し、ＴＶ放送信号受信可能となった場合には（ステップＡ１０１；ＹＥＳ）、前述のステップＡ１０２に進む。
【００３４】
また、ＬＡＮに接続可能となった場合には（ステップＡ１２１；ＹＥＳ）、携帯電話端末７６又は無線ＡＰ７０を介してＬＡＮに接続する（ステップＡ１２２）。更に、サーバー６５に接続して（ステップＡ１２３）、ユーザーＩＤ、パスワードを送信し（ステップＡ１２４）、番組データ（ＴＶ局、時間等）を送信する（ステップＡ１２５）。更に、番組の最初からを示す開始位置データを送信した後（ステップＡ１２６）、番組の内容を成す放送データのダウンロード、再生を開始する（ステップＡ１１２７）。
【００３５】
このダウンロード、再生中においてＴＶ放送信号の受信状態を常時監視し、ＴＶ放送信号の受信が可能となったか否か（ステップＡ１２８）、及び番組が終了したか否か（ステップＡ１２９）を繰り返し判断する。そして、当該番組が終了した場合には（ステップＡ１２９；ＹＥＳ）、このフローチャートに従った処理を修了する。また、番組が終了する前に、ＴＶ放送信号の受信が可能となった場合には（ステップＡ１２８；ＹＥＳ）、ダウンロード、再生を停止して停止信号をサーバー６５に送信するともに（ステップＡ１３０）、ＴＶ放送受信を開始し（ステップＡ１３１）、前述したステップＡ１０３からの処理を実行する。
【００３６】
他方、サーバー６５は、格納されているプログラムに基づき図４に示すフローチャートに従って処理を実行する。すなわち、サーバー６５は、前述のステップＡ１１１又はステップＡ１２４で通信端末１から送信されてくるユーザーＩＤ、パスワードを受信する（ステップＢ１０１）。これらユーザーＩＤ、パスワードが予め記憶してある当該ユーザのデータと一致したならば、前述のステップＡ１１４又はステップＡ１２５で通信端末１から送信されてくる番組データ（ＴＶ局、時間等）を受信する（ステップＢ１０２）。さらに、前述のステップＡ１１５、ステップＡ１２６で通信端末１から送信されてくる開始位置データ（中断時刻、又は「最初から」）を受信する（ステップＢ１０３）。
【００３７】
そして、この開始位置から当該番組の内容を成す放送データを構成する画像及び音声データの送信を開始する（ステップＢ１０４）。したがって、このサーバー６５側でのステップＢ１０４の処理に対応して、通信端末１側で前述したステップＡ１１６の処理が実行されることにより、通信端末１のスピーカ３３からは、ＴＶ放送受信が不可能となった時点からの当該番組の音声が発生し、画像表示装置５にはＴＶ放送受信が不可能となった時点からの当該番組番組の画像が表示されることとなる。また、このサーバー６５側でのステップＢ１０４の処理に対応して、通信端末１側で前述したステップＡ１２７の処理が実行されることにより、通信端末１のスピーカ３３からは、当該番組の最初からの音声が発生し、画像表示装置５には当該番組の最初からの画像が表示されることとなる。
【００３８】
この画像及び音声データの送信中において、当該番組のデータ送信が終了したか否か（ステップＢ１０５）、及び通信端末１からの停止信号を受信したか否か（ステップＢ１０６）を繰り返し判断する。そして、当該番組のデータ送信を完了した場合には（ステップＢ１０５；ＹＥＳ）、データ送信を停止するとともに（ステップＢ１０７）、課金処理を実行して（ステップＢ１０８）このフローチャートに従った処理を修了する。また、番組のデータ送信が終了する前に、通信端末１側で前述したステップＡ１２０又はステップＡ１３０が実行されることにより、停止信号を受信した場合にも（ステップＢ１０６；ＹＥＳ）、データ送信を停止するとともに（ステップＢ１０７）、課金処理を実行して（ステップＢ１０８）このフローチャートに従った処理を修了する。
【００３９】
図５は、ＴＶ放送電波が受信不可能になり、かつＬＡＮに接続できない場合、後でダウンロード、再生する場合における通信端末１の処理手順を示すフローチャートである。すなわち、携帯電話端末７６又は無線ＡＰ７０を介してＬＡＮに接続し（ステップＡ２０１）、サーバー６５に接続する（ステップＡ２０２）。引き続き、ユーザーＩＤ、パスワードを送信し（ステップＡ２０３）、番組データ（ＴＶ局、時間等）を送信する（ステップＡ２０４）。また、前述のステップＡ１０５で記憶させた中断時刻を開始位置データとして送信した後（ステップＡ２０５）、前記番組の内容を成す放送データのダウンロード、再生を開始する（ステップＡ２０６）。
【００４０】
したがって、このステップＡ１０６の処理が実行されることにより、通信端末１のスピーカ３３からは、ＴＶ放送受信が不可能となった時点からの当該番組の音声が発生し、画像表示装置５にはＴＶ放送受信が不可能となった時点からの当該番組番組の画像が表示され、あるいは、当該番組の最初からの音声が発生し、当該番組の最初からの画像が表示されることとなる。よって、ＴＶ放送電波が受信不可能になり、かつＬＡＮに接続できない場合であっても、後にユーザーがＬＡＮに接続可能な場所に移動した際には、中断した後の番組あるいは番組の最初から見ることができる。
【００４１】
また、このダウンロード、再生中において通信状態を常時監視し、通信不良が発生したか否か（ステップＡ２０７）、及び番組が終了したか否か（ステップＡ２０８）を繰り返し判断する。そして、当該番組が終了した場合には（ステップＡ２０８；ＹＥＳ）、このフローチャートに従った処理を修了する。また、番組が終了する前に、通信不良が発生した場合には（ステップＡ２１７；ＹＥＳ）、画像表示装置５に通信不良表示を行い（ステップＡ２０９）、ダウンロードを停止するとともに停止信号をサーバー６５に送信する（ステップＡ２１０）。
【００４２】
なお、前述した実施の形態においては、音声と画像とを含むＴＶ放送に本発明を適用するようにしたが、音声（音楽）のみを含むラジオ放送や音楽提供サービスに本発明を適用するようにしてもよい。
【００４３】
また、前記実施の形態においては、通信端末１の機器本体２を矩形としたが、図６に示すように、機器本体２を丸形とするともに、リストバンド３、４の各々にキー１０を配置した外観構成としてもよい。
【００４４】
さらに、図７に示すように、機器本体２に上面端部に撮像装置５２を配置するともに側面に複数のキー１０を配置し、撮像装置５２により撮像した画像を送信可能な通信端末１に本発明を適用するようにしてもよい。また、図８に示すように、機器本体２にの上面端部に撮像装置５２を配置し、開閉自在な蓋体５３を枢支するとともに、機器本体２側にメール表示装置５４を設け、蓋体５３側に画像表示装置５を配置する一方、リストバンド４に複数のキー１０を配置し、撮像装置５２により撮像した画像を送信可能であってメールを受信可能な通信端末１に本発明を適用するようにしてもよい。
【００４５】
【発明の効果】
以上説明したように本発明に係る放送受信装置、放送受信方法、放送受信プログラムによれば、受信電波の受信不良が検出されない限り、第１の受信手段により放送電波を受信することから、ユーザーはマルチメディアサービスを受けることができる。また、放送電波の受信不良が発生した際には、第２の受信手段によりネットワークを介して送信される放送データを受信することから、ユーザーは安定してマルチメディアサービスを受けることができる。しかも、第２の受信手段により放送データを受信するのは、放送電波の受信不良が発生した場合のみであることから、所要メモリ容量やダウンロード時間を少なくなり、通信料金やパケット料も低額となる。よって、所要メモリ容量やダウンロード時間を少なくし、かつ低額で安定したマルチメディアサービスを供与することが可能となる。
【００４６】
また、本発明に係る放送システムによれば、放送受信装置の所要メモリ容量やダウンロード時間を少なくし、かつ低額で安定したマルチメディアサービスを供与することが可能なシステムを構築することができる。
【００４７】
また、本発明に係るサーバー装置によれば、放送電波の受信不良が発生して放送受信装置が放送電波を受信できなくなった以降の放送データのみを送信することができる。
【図面の簡単な説明】
【図１】本発明の一実施の形態に係る通信端末の外観構成を示す斜視図である。
【図２】通信端末の回路構成を示すブロック図及びシステムの全体構成を示すシステム構成図である。
【図３】通信端末の処理手順を示すフローチャートである。
【図４】サーバーの処理手順を示すフローチャートである。
【図５】ＴＶ放送電波が受信不可能になり、かつＬＡＮに接続できない場合、後でダウンロード、再生する場合における通信端末の処理手順を示すフローチャートである。
【図６】本発明の他の実施の形態に係る通信端末の外観構成を示す斜視図である。
【図７】本発明の他の実施の形態に係る通信端末の外観構成を示す正面図である。
【図８】本発明の他の実施の形態に係る通信端末の外観構成を示す正面図である。
【符号の説明】
１　　通信端末
２　　機器本体
３　　リストバンド
４　　リストバンド
５　　画像表示装置
６　　システムモジュール
１１　　主制御部
１２　　ＴＶチューナ
１３　　電源制御部
１４　　キー入力部
１５　　アンテナ
１９　　ＲＡＭ
２２　　フラッシュＲＯＭ
２３　　システム多重分離部
２４　　オーディオ復号器
２５　　復号制御／同期制御部
２６　　ビデオ復号器
２７　　バッファ
２８　　ビデオ多重分離部
２９　　情報源復号化部
３０　　後処理部
３１　　Ｄ／Ａコンバータ
３２　　アンプ
３３　　スピーカ
３４　　画像メモリ
３５　　表示駆動回路
４２　　情報源符号化部
４３　　ビデオ多重化部
４５　　システム多重化部
４６　　音声入力端子
４７　　アンプ
５０　　オーディオ符号器
５２　　撮像装置
５３　　メール表示部
５３　　蓋体
６１　　データベース
６２　　ＴＶ放送局
６３　　ＴＶ塔
６４　　ＩＰ網
６５　　サーバー
【図１】
2004088517.tif 000003
【図２】
2004088517.tif 000004
【図３】
2004088517.tif 000005
【図４】
2004088517.tif 000006
【図５】
2004088517.tif 000007
【図６】
2004088517.tif 000008
【図７】
2004088517.tif 000009
【図８】
2004088517.tif 000010